(57)【要約】【課題】オートワイド機能における誤表示をもたらす誤判定を確実に防止することができるようにする。【解決手段】ライン判別回路５０により、映像信号から黒帯の有無が判別され、黒帯がある場合には、映像信号の前後のフレーム間で、水平走査ラインにおける映像最終ラインと字幕最終ラインとの位置が判別され、マイコン６０により、その判別された映像最終ラインと字幕最終ラインとの位置の判別結果に応じて画面サイズが調整されるので、たとえば映像表示領域の下方にテロップ表示等によって暗い領域が表示され、その暗い領域の位置がたとえば映像最終ライン及び字幕最終ラインであると判別された場合、その字幕最終ラインの位置が誤判定であると認識することができ、字幕が無いにも関わらず、字幕有りと判定してしまうことで、映像の下部を字幕表示領域として表示させてしまうような誤表示をなくすようにした。【選択図】  図１
2006287774.tif 000002
【特許請求の範囲】
【請求項１】
オートワイド機能を有するテレビジョン受像機であって、
映像信号に対して少なくとも画面サイズ調整に関わる映像処理を行う映像処理手段と、
映像処理された信号に基づき映像を表示する表示手段と、
前記映像信号から黒帯の有無を判別し、黒帯がある場合には、前記映像信号の前後のフレーム間で、水平走査ラインにおける映像最終ラインと字幕最終ラインとの位置を判別するライン判別手段と、
前記ライン判別手段による判別結果に応じて前記映像処理手段における少なくとも画面サイズ調整に関わる映像処理を制御する制御手段とを備える
ことを特徴とするテレビジョン受像機。
【請求項２】
前記映像処理手段は、
前記制御手段から出力されるアスペクト変換データに基づき、前記表示手段に映し出すべき映像のサイズを決定するアスペクト変換回路と、
前記制御手段から出力される垂直位置調整データに基づき、前記表示手段に映し出すべき映像の垂直位置を決定する垂直位置変換回路とを有し、
前記制御手段は、前記ライン判別手段における判別結果、前記映像最終ラインと前記字幕最終ラインとの位置が同じである場合、あるいは前記字幕最終ラインの位置が前記映像最終ラインより小さい場合には、前記アスペクト変換データと垂直位置調整データの出力を行わない
ことを特徴とする請求項１に記載のテレビジョン装置。
【請求項３】
前記ライン判別手段は、
前記映像信号の水平走査ライン毎に輝度レベルを基準レベルと比較するとともに、比較時における水平走査ラインの位置をカウントする水平ライン輝度判別部と、
前記比較された水平走査ライン毎の輝度レベルから前記映像最終ラインを検出する映像最終ライン検出回路と、
前記比較された水平走査ライン毎の輝度レベルから前記字幕最終ラインを検出する字幕最終ライン検出回路と、
前記検出された映像最終ラインと字幕最終ラインの各々の一致が数回確認された後、前記カウントされた値でそれぞれを確定映像ラインと確定字幕ラインとして記憶するメモリと、
前記記憶された前記確定映像ラインの値と、前記確定字幕ラインの値とを比較し、その比較結果を前記制御手段に出力するライン比較回路とを有する
ことを特徴とする請求項１又は２に記載のテレビジョン受像機。
【請求項４】
オートワイド機能を有するテレビジョン受像機における垂直位置調整方法であって、
映像信号に対して少なくとも画面サイズ調整に関わる映像処理を行う映像処理工程と、
映像処理された信号に基づき映像を表示する表示工程と、
前記映像信号から黒帯の有無を判別し、黒帯がある場合には、前記映像信号の前後のフレーム間で、水平走査ラインにおける映像最終ラインと字幕最終ラインとの位置を判別するライン判別工程と、
前記位置の判別による結果に応じて前記少なくとも画面サイズ調整に関わる映像処理を制御する制御工程とを有する
ことを特徴とする垂直位置調整方法。
【請求項５】
アスペクト変換データに基づき、映し出すべき映像のサイズを決定するアスペクト変換工程と、
垂直位置調整データに基づき、映し出すべき映像の垂直位置を決定する垂直位置変換工程とを有し、
前記映像最終ラインと字幕最終ラインとの位置の判別による結果、前記映像最終ラインと前記字幕最終ラインとの位置が同じである場合、あるいは前記字幕最終ラインの位置が前記映像最終ラインより小さい場合には、前記アスペクト変換データと垂直位置調整データの出力が行われない
ことを特徴とする請求項４に記載の垂直位置調整方法。
【請求項６】
前記映像信号の水平走査ライン毎に輝度レベルを基準レベルと比較するとともに、比較時における水平走査ラインの位置をカウントする水平ライン輝度判別工程と、
前記比較された水平走査ライン毎の輝度レベルから前記映像最終ラインを検出する映像最終ライン検出工程と、
前記比較された水平走査ライン毎の輝度レベルから前記字幕最終ラインを検出する字幕最終ライン検出工程と、
前記検出された映像最終ラインと字幕最終ラインの各々の一致が数回確認された後、前記カウントされた値でそれぞれが確定映像ラインと確定字幕ラインとして記憶される記憶工程と、
前記記憶された前記確定映像ラインの値と、前記確定字幕ラインの値とを比較し、その比較結果が出力される比較結果出力工程とを有する
ことを特徴とする請求項４又は５に記載の垂直位置調整方法。
【発明の詳細な説明】
【技術分野】
【０００１】
本発明は、オートワイド機能を有したテレビジョン受像機及び垂直位置調整方法に関する。
【背景技術】
【０００２】
近年のテレビジョン受像機では、手動操作により好みの画面サイズを選べるだけでなく、受信している放送や外部入力された映像ソフトの内容によって画面サイズが自動的に切り換わるように設定することができるようになっている。
【０００３】
ここで、画面サイズには、通常のテレビ画面（４：３サイズ）の映像をそのまま映す「ノーマル」と、シネスコ又は１６：９サイズの映像ソフトを画面いっぱいに映す「シネマ」と、１６：９から４：３に圧縮された映像を元の１６：９に戻して画面いっぱいに映す「フル」と、通常の４：３映像を画面いっぱいに映す「ワイド」とがある。
【０００４】
また、このようなテレビジョン受像機では、映像の画面サイズ制御信号を識別して画面サイズを自動設定するオートワイド機能を備えている。オートワイド機能には、たとえば映像判別機能、Ｓ２対応機能、Ｄ端子識別機能等がある。
【０００５】
映像判別機能は、受信している放送や外部入力されたソフトの映像の上下に黒い帯があるとき、画面サイズを自動的に「シネマ」にする機能である。ここで、「シネマ」とは、上述したように、入力信号の縦横比をくずさずに、画面の左右いっぱいまで拡大して映すようにした表示モードである。
【０００６】
Ｓ２対応機能は、ＤＶＤプレーヤ等をＳ映像ケーブルで接続したとき、画面サイズ制御信号（フルモード制御信号やレターボックス制御信号）の含まれた映像が入力されると、自動的に最適な画面サイズとする表示モードである。
【０００７】
Ｄ端子識別機能は、ＤＶＤプレーヤ等をＤ端子ケーブルで接続したとき、画面サイズ制御信号（フルモード制御信号やレターボックス制御信号）が加えられた映像が入力されると、自動的に最適な画面サイズとする表示モードである。
【０００８】
ここで、フルモード制御信号やレターボックス制御信号とは、縦横比１６：９の映像（画面サイズ）であることを示す信号である。また、フルモードは、１６：９のオリジナルの映像を画面いっぱいに表示するモードであり、レターボックスは、４：３の画面の中に含まれている１６：９の映像を画面いっぱいに表示するモードである。
【０００９】
ところで、上述したオートワイド機能のうち、たとえば映像判別機能では、画面サイズを自動的に「シネマ」にする際、映像終了位置（水平走査ラインにおける映像最終ライン）と字幕終了位置（水平走査ラインにおける字幕最終ライン）との差から、字幕の有無を判定し画面の垂直位置を調整していた。
【００１０】
すなわち、たとえば図６に示すように、映像最終ライン（ａ）に対して字幕最終ライン（ｂ）の方が大きい場合は、映像の下部を字幕表示領域１として表示させている。この場合、映像最終ライン（ａ）と字幕最終ライン（ｂ）とを数回検出し、それぞれの位置を確定値としてる。
【００１１】
ここで、映像最終ライン（ａ）と字幕最終ライン（ｂ）とを判別する場合、たとえば水平走査ライン毎の映像信号のヒストグラムを生成し、このヒストグラムから映像部分と字幕部分の特徴を見出し、それぞれの最終ラインを判定する方式が用いられる場合がある。
【００１２】
すなわち、映像部分は、輝度レベル全般に分布が広がり、特徴的な分布を持たないが、字幕部分は、暗部を背景としているため、輝度レベルの高低の分布が高くなるといった特徴を持つことから、からそれぞれの最終ラインが判定されるというものである。
【００１３】
ところで、映像によっては、点線で囲った映像表示領域２の下方にテロップ表示３等によって暗い領域が表示されることがある。このような場合、その暗い領域の位置の輝度レベルの高低の分布が高くなると、その位置が映像最終ライン及び字幕最終ライン（ｃ）として認識されてしまうことがあり、字幕が無いにも関わらず、字幕有りと判定されてしまい、映像の下部を字幕表示領域１として表示させてしまうことがある。
【００１４】
ちなみに、特許文献１では、横長のディスプレイと、垂直拡大手段と、縮小表示手段とを設けたテレビジョン受像機において、入力した映像信号が映像ソフトである場合には、垂直拡大手段により入力映像信号を垂直方向に拡大し、縮小表示手段により映像信号中の字幕の存在する近傍の期間を垂直方向に縮小して表示することにより、字幕がブランキング期間（無画部）にある映像ソフトに対しても字幕が欠けることなく迫力のある表示を行うことができる技術を提案している。
【特許文献１】特開平０７−１５４７１２号公報
【発明の開示】
【発明が解決しようとする課題】
【００１５】
ところで、特許文献１では、字幕がブランキング期間（無画部）にある映像ソフトに対して字幕が欠けないようにすることには有効である。
【００１６】
ところが、このような技術では、映像最終ラインと字幕最終ラインとの位置から字幕の有無を判定するような手段を備えていないため、上述したように、映像表示領域２の下方にテロップ表示３等によって暗い領域が表示されることがあると、その暗い領域の位置を映像最終ライン及び字幕最終ライン（ｃ）として認識してしまい、字幕が無いにも関わらず、字幕有りと判定してしまうことで、映像の下部を字幕表示領域１として誤表示させてしまうことがある。
【００１７】
本発明は、このような状況に鑑みてなされたものであり、字幕が無いにも関わらず、字幕有りと判定してしまうことで、映像の下部を字幕表示領域として表示させてしまうようなオートワイド機能における誤表示をもたらす誤判定を確実に防止することができるテレビジョン受像機及び垂直位置調整方法を提供することを目的とする。
【課題を解決するための手段】
【００１８】
本発明のテレビジョン受像機は、オートワイド機能を有するテレビジョン受像機であって、映像信号に対して少なくとも画面サイズ調整に関わる映像処理を行う映像処理手段と、映像処理された信号に基づき映像を表示する表示手段と、前記映像信号から黒帯の有無を判別し、黒帯がある場合には、前記映像信号の前後のフレーム間で、水平走査ラインにおける映像最終ラインと字幕最終ラインとの位置を判別するライン判別手段と、前記ライン判別手段による判別結果に応じて前記映像処理手段における少なくとも画面サイズ調整に関わる映像処理を制御する制御手段とを備えることを特徴とする。
このような構成では、オートワイド機能が実行されるとき、ライン判別手段により、映像信号から黒帯の有無が判別されるとともに、黒帯がある場合には、映像信号の前後のフレーム間で、水平走査ラインにおける映像最終ラインと字幕最終ラインとの位置が判別され、制御手段により、その判別された映像最終ラインと字幕最終ラインとの位置の判別結果に応じて画面サイズが調整される。
これにより、たとえば映像表示領域の下方にテロップ表示等によって暗い領域が表示され、その暗い領域の位置がたとえば映像最終ライン及び字幕最終ラインであると判別された場合、その字幕最終ラインの位置が誤判定であると認識することができる。
また、前記映像処理手段は、前記制御手段から出力されるアスペクト変換データに基づき、前記表示手段に映し出すべき映像のサイズを決定するアスペクト変換回路と、前記制御手段から出力される垂直位置調整データに基づき、前記表示手段に映し出すべき映像の垂直位置を決定する垂直位置変換回路とを有し、前記制御手段は、前記ライン判別手段における判別結果、前記映像最終ラインと前記字幕最終ラインとの位置が同じである場合、あるいは前記字幕最終ラインの位置が前記映像最終ラインより小さい場合には、前記アスペクト変換データと垂直位置調整データの出力を行わないようにすることができる。
このような構成では、ライン判別手段における判別の結果、映像最終ラインと字幕最終ラインとの位置が同じである場合、あるいは字幕最終ラインの位置が映像最終ラインより小さい場合には、制御手段からアスペクト変換回路へのアスペクト変換データと垂直位置変換回路への垂直位置調整データの出力が行われないため、字幕の有無に応じて適切な表示を行わせることができる。
また、前記ライン判別手段は、前記映像信号の水平走査ライン毎に輝度レベルを基準レベルと比較するとともに、比較時における水平走査ラインの位置をカウントする水平ライン輝度判別部と、前記比較された水平走査ライン毎の輝度レベルから前記映像最終ラインを検出する映像最終ライン検出回路と、前記比較された水平走査ライン毎の輝度レベルから前記字幕最終ラインを検出する字幕最終ライン検出回路と、前記検出された映像最終ラインと字幕最終ラインの各々の一致が数回確認された後、前記カウントされた値でそれぞれを確定映像ラインと確定字幕ラインとして記憶するメモリと、前記記憶された前記確定映像ラインの値と、前記確定字幕ラインの値とを比較し、その比較結果を前記制御手段に出力するライン比較回路とを有するようにすることができる。
このような構成では、水平ライン輝度判別部により、映像信号の水平走査ライン毎に輝度レベルが基準レベルと比較されるとともに、比較時における水平走査ラインの位置がカウントされ、映像最終ライン検出回路により、比較された水平走査ライン毎の輝度レベルから映像最終ラインが検出され、字幕最終ライン検出回路により、比較された水平走査ライン毎の輝度レベルから字幕最終ラインが検出される。そして、検出された映像最終ラインと字幕最終ラインの各々の一致が数回確認された後、メモリに、カウントされた値でそれぞれが確定映像ラインと確定字幕ラインとして記憶されると、ライン比較回路により、その記憶された確定映像ラインの値と、確定字幕ラインの値とが比較され、その比較結果が制御手段に出力されるので、前後のフレーム間での映像最終ラインと字幕最終ラインとの位置の比較を確実に行うことができる。
本発明の垂直位置調整方法は、オートワイド機能を有するテレビジョン受像機における垂直位置調整方法であって、映像信号に対して少なくとも画面サイズ調整に関わる映像処理を行う映像処理工程と、映像処理された信号に基づき映像を表示する表示工程と、前記映像信号から黒帯の有無を判別し、黒帯がある場合には、前記映像信号の前後のフレーム間で、水平走査ラインにおける映像最終ラインと字幕最終ラインとの位置を判別するライン判別工程と、前記位置の判別による結果に応じて前記少なくとも画面サイズ調整に関わる映像処理を制御する制御工程とを有することを特徴とする。
このような構成では、オートワイド機能が実行されるとき、映像信号から黒帯の有無が判別されるとともに、黒帯がある場合には、映像信号の前後のフレーム間で、水平走査ラインにおける映像最終ラインと字幕最終ラインとの位置が判別され、その判別された映像最終ラインと字幕最終ラインとの位置の判別結果に応じて画面サイズが調整される。
これにより、たとえば映像表示領域の下方にテロップ表示等によって暗い領域が表示され、その暗い領域の位置がたとえば映像最終ライン及び字幕最終ラインであると判別された場合、その字幕最終ラインの位置が誤判定であると認識することができる。
また、アスペクト変換データに基づき、映し出すべき映像のサイズを決定するアスペクト変換工程と、垂直位置調整データに基づき、映し出すべき映像の垂直位置を決定する垂直位置変換工程とを有し、前記映像最終ラインと字幕最終ラインとの位置の判別による結果、前記映像最終ラインと前記字幕最終ラインとの位置が同じである場合、あるいは前記字幕最終ラインの位置が前記映像最終ラインより小さい場合には、前記アスペクト変換データと垂直位置調整データの出力が行われないようにすることができる。
このような構成では、映像最終ラインと字幕最終ラインとの位置が同じである場合、あるいは字幕最終ラインの位置が映像最終ラインより小さい場合には、アスペクト変換データと垂直位置調整データの出力が行われないため、字幕の有無に応じて適切な表示を行わせることができる。
また、前記映像信号の水平走査ライン毎に輝度レベルを基準レベルと比較するとともに、比較時における水平走査ラインの位置をカウントする水平ライン輝度判別工程と、前記比較された水平走査ライン毎の輝度レベルから前記映像最終ラインを検出する映像最終ライン検出工程と、前記比較された水平走査ライン毎の輝度レベルから前記字幕最終ラインを検出する字幕最終ライン検出工程と、前記検出された映像最終ラインと字幕最終ラインの各々の一致が数回確認された後、前記カウントされた値でそれぞれが確定映像ラインと確定字幕ラインとして記憶される記憶工程と、前記記憶された前記確定映像ラインの値と、前記確定字幕ラインの値とを比較し、その比較結果が出力される比較結果出力工程とを有するようにすることができる。
このような構成では、映像信号の水平走査ライン毎に輝度レベルが基準レベルと比較されるとともに、比較時における水平走査ラインの位置がカウントされ、比較された水平走査ライン毎の輝度レベルから映像最終ラインが検出され、比較された水平走査ライン毎の輝度レベルから字幕最終ラインが検出される。そして、メモリに、上記同様に、確定映像ラインと確定字幕ラインとがカウントされた値で記憶されると、その記憶された確定映像ラインの値と、確定字幕ラインの値とが比較され、その比較結果が出力されるので、前後のフレーム間での映像最終ラインと字幕最終ラインとの位置の比較を確実に行うことができる。
【発明の効果】
【００１９】
本発明のテレビジョン受像機及び垂直位置調整方法によれば、ライン判別手段により、映像信号から黒帯の有無が判別されるとともに、黒帯がある場合には、映像信号の前後のフレーム間で、水平走査ラインにおける映像最終ラインと字幕最終ラインとの位置が判別され、制御手段により、その判別された映像最終ラインと字幕最終ラインとの位置の判別結果に応じて画面サイズが調整されるので、たとえば映像表示領域の下方にテロップ表示等によって暗い領域が表示され、その暗い領域の位置がたとえば映像最終ライン及び字幕最終ラインであると判別された場合、その字幕最終ラインの位置が誤判定であると認識することができ、字幕が無いにも関わらず、字幕有りと判定してしまうことで、映像の下部を字幕表示領域として表示させてしまうようなオートワイド機能における誤表示をもたらす誤判定を確実に防止することができる。
【発明を実施するための最良の形態】
【００２０】
本実施形態では、ライン判別手段により、映像信号から黒帯の有無が判別されるとともに、黒帯がある場合には、映像信号の前後のフレーム間で、水平走査ラインにおける映像最終ラインと字幕最終ラインとの位置が判別され、制御手段により、その判別された映像最終ラインと字幕最終ラインとの位置の判別結果に応じて画面サイズが調整されるようにし、たとえば映像表示領域の下方にテロップ表示等によって暗い領域が表示され、その暗い領域の位置がたとえば映像最終ライン及び字幕最終ラインであると判別された場合、その字幕最終ラインの位置が誤判定であると認識し、字幕が無いにも関わらず、字幕有りと判定してしまうことで、映像の下部を字幕表示領域として表示させてしまうようなオートワイド機能における誤表示をもたらす誤判定を確実に防止することができるようにした。
【実施例】
【００２１】
以下、本発明の実施の形態について説明する。
図１は、本発明のテレビジョン受像機の一実施形態を示すブロック図、図２は、図１の映像処理回路及びライン判別回路の詳細を示すブロック図、図３〜図５は、図１のテレビジョン受像機における垂直位置調整方法を説明するための図である。
【００２２】
図１に示すように、テレビジョン受像機は、ＡＶセレクタ１０、デコーダ２０、映像処理回路３０、液晶表示器４０、ライン判別回路５０、マイコン６０、ＲＯＭ７０を備えている。
【００２３】
ＡＶセレクタ１０は、チューナ１１や外部入力機器１２，１３のいずれかの入力系統の中から視聴する映像を選択する。デコーダ２０は、ＡＶセレクタ１０によって選択されたいずれかのアナログ映像信号を、デジタル映像信号に変換する。
【００２４】
映像処理手段としての映像処理回路３０は、デコーダ２０からのデジタル映像信号に対して少なくとも画面サイズ調整に関わる映像関連処理を行うスケーラ３１を有している。表示手段としての液晶表示器４０は、映像処理回路３０からの映像処理された信号に基づき映像を表示する。
【００２５】
ライン判別手段としてのライン判別回路５０は、デコーダ２０からのデジタル映像信号から黒帯の有無を判別し、黒帯がある場合には、そのデジタル映像信号の前後のフレーム間で、水平走査ラインにおける後述の映像最終ライン（ｄ）と字幕最終ライン（ｅ）との位置を判別するものであるが、その詳細については後述する。
【００２６】
制御手段としてのマイコン６０は、オートワイド機能を有し、ライン判別回路５０からの判別結果等に応じて映像処理回路３０のスケーラ３１にアスペクト変換データ及び垂直位置調整データを出力する。ＲＯＭ７０は、少なくともアスペクト変換データ及び垂直位置調整データを記憶している。
【００２７】
ここで、オートワイド機能としては、通常のテレビ画面（４：３サイズ）の映像をそのまま映す「ノーマル」と、シネスコ又は１６：９サイズの映像ソフトを画面いっぱいに映す「シネマ」と、１６：９から４：３に圧縮された映像を元の１６：９に戻して画面いっぱいに映す「フル」と、通常の４：３映像を画面いっぱいに映す「ワイド」とがあり、ユーザからの指示に応じていずれかが設定されるものとする。
【００２８】
次に、映像処理回路３０及びライン判別回路５０の詳細について説明する。
【００２９】
図２に示すように、映像処理回路３０のスケーラ３１は、アスペクト変換回路３２及び垂直位置変換回路３３を有している。
【００３０】
アスペクト変換回路３２は、マイコン６０からのアスペクト変換データに基づき、液晶表示器４０に映し出すべき映像のサイズを決定する。
【００３１】
垂直位置変換回路３３は、マイコン６０からの垂直位置調整データに基づき、液晶表示器４０に映し出すべき映像の垂直位置を決定する。
【００３２】
ライン判別回路５０は、水平ライン輝度判別部５１、映像最終ライン検出回路５４、字幕最終ライン検出回路５５、メモリ５６、ライン比較回路５７を有している。
【００３３】
水平ライン輝度判別部５１は、水平走査ライン毎にデジタル映像信号の輝度レベルを基準レベルと比較する比較器５２と、比較時における水平走査ラインの位置をカウントするカウンタ５３とを有している。ここで、輝度レベルとしては、「黒（０）〜中間調〜白（２５５）」の範囲で表現されるものとすることができる。
【００３４】
映像最終ライン検出回路５４は、水平ライン輝度判別部５１によって判別された水平走査ライン毎の輝度レベルから低輝度、中間輝度、高輝度の分布を有する水平走査ラインの最終ラインを、図３に示すように、映像最終ライン（ｄ）として検出する。
【００３５】
字幕最終ライン検出回路５５は、水平ライン輝度判別部５１によって判別された水平走査ライン毎の輝度レベルから中間輝度を持たない低輝度及び高輝度の分布を有する水平走査ラインの最終ラインを、図３に示すように、字幕最終ライン（ｅ）として検出する。
【００３６】
よって、字幕最終ライン検出回路５５により、字幕最終ライン（ｅ）が検出された場合は、マイコン６０により字幕有りと判断されて、図３に示すように、映像の垂直位置が字幕最終ライン（ｅ）まで広げられるように調整される。
【００３７】
これに対し、映像最終ライン検出回路５４により検出された映像最終ライン（ｄ）と、字幕最終ライン検出回路５５により検出された字幕最終ライン（ｅ）とが等しい場合、マイコン６０により字幕無しと判断されて、図４に示すように、映像の垂直位置が調整されず、映像最終ライン（ｄ）までとされる。
【００３８】
メモリ５６は、映像最終ライン検出回路５４によって検出された映像最終ライン（ｄ）と、字幕最終ライン検出回路５５によって検出された字幕最終ライン（ｅ）とを記憶する。なお、メモリ５６に記憶される映像最終ライン（ｄ）と字幕最終ライン（ｅ）とは、少なくとも映像信号の１フレーム分であればよい。また、映像最終ライン（ｄ）と字幕最終ライン（ｅ）とは、カウンタ５３によるカウント値で識別することができる。
【００３９】
ライン比較回路５７は、メモリ５６に記憶された１フレーム前の映像最終ライン（ｄ）と、字幕最終ライン検出回路５５によって検出された現フレームの字幕最終ライン（ｅ）とを比較し、その比較結果をマイコン６０に与える。
【００４０】
そして、マイコン６０は、ライン比較回路５７からの比較結果に基づき、映像最終ライン（ｄ）より字幕最終ライン（ｅ）の方が大きい場合には、字幕有りと判定し、アスペクト変換回路３２及び垂直位置変換回路３３にアスペクト変換データ及び垂直位置調整データを出力して通常の４：３映像を画面いっぱいに映すように制御する。
【００４１】
一方、マイコン６０は、ライン比較回路５７からの比較結果に基づき、映像最終ライン（ｄ）と字幕最終ライン（ｅ）との位置が同じである場合、あるいは字幕最終ライン（ｅ）の位置が映像最終ライン（ｄ）の位置より小さい場合には、字幕最終ライン（ｅ）の位置に誤りがあるものと判断し、アスペクト変換回路３２及び垂直位置変換回路３３へのアスペクト変換データ及び垂直位置調整データの出力を行わない。
【００４２】
次に、映像の垂直位置調整方法について説明する。
なお、以下においては、ユーザからの指示によりオートワイド機能が設定されていて、ライン判別回路５０により、デコーダ２０から出力されたデジタル映像信号に黒帯が有ると判別されたとき、マイコン６０により上述した「シネマ」のモードによるオートワイド機能が実行されるものとする。
【００４３】
まず、図５に示すように、マイコン６０により、オートワイド機能が設定されているとき（ステップＳ１）、ライン判別回路５０の水平ライン輝度判別部５１からの判別結果より、任意のフレームの映像信号に黒帯が有るか否かが判別される（ステップＳ２）。
【００４４】
映像信号に黒帯が有ると判別されると、映像最終ライン検出回路５４により、水平ライン輝度判別部５１によって判別された水平走査ライン毎の輝度レベルから低輝度、中間輝度、高輝度の分布を有する水平走査ラインの最終ラインが図３に示した映像最終ライン（ｄ）として検出される。
【００４５】
なお、その映像最終ライン（ｄ）は、水平走査ラインの最終ラインが数回一致した場合に、メモリ５６に確定映像ラインとして記録される（ステップＳ３）。ここで、数回一致とは数フレームに渡って水平走査ラインの最終ラインの位置を確認することである。
【００４６】
そして、マイコン６０からアスペクト変換回路３２にアスペクト変換データが出力され、「シネマ」モードへの切り替えが行われる（ステップＳ４）。
【００４７】
次いで、字幕の有無が判別される（ステップＳ５）。ここでは、字幕最終ライン検出回路５５により、水平ライン輝度判別部５１によって判別された水平走査ライン毎の輝度レベルから中間輝度を持たない低輝度及び高輝度の分布を有する水平走査ラインの最終ラインが図３に示した字幕最終ライン（ｅ）として検出される。
【００４８】
なお、その字幕最終ライン（ｅ）は、水平走査ラインの最終ラインが数回一致した場合に、メモリ５６に確定字幕ラインとして記録される（ステップＳ６）。ここで、数回一致とは数フレームに渡って水平走査ラインの最終ラインの位置を確認することである。また、それぞれの映像最終ライン（ｄ）と字幕最終ライン（ｅ）とは、カウンタ５３によるカウント値で識別される。
【００４９】
次いで、ライン比較回路５７により、メモリ５６に記憶された確定映像ラインと、確定字幕ラインとが比較される（ステップＳ７）。
【００５０】
そして、マイコン６０により、ライン比較回路５７からの比較結果に基づき、確定字幕ラインが確定映像ラインより大きい場合には、字幕有りと判定され、アスペクト変換回路３２及び垂直位置変換回路３３にアスペクト変換データ及び垂直位置調整データが出力されることにより、図３に示したように映像の垂直位置の調整が行われる（ステップＳ８）。
【００５１】
これに対し、（ステップＳ７）での比較により、確定映像ラインと確定字幕ラインとの位置が同じである場合、あるいは確定字幕ラインの位置が確定映像ラインの位置より小さい場合には、マイコン６０により、字幕最終ライン（ｅ）の検出位置に誤りがあるものと判断され、アスペクト変換回路３２及び垂直位置変換回路３３へのアスペクト変換データ及び垂直位置調整データの出力が行われず、図４に示したように、映像の垂直位置が調整されない。
【００５２】
なお、（ステップＳ７）でのメモリ５６に記憶された確定映像ラインと、確定字幕ラインとの比較においては、比較の精度を上げるために、水平走査ラインの最終ラインの位置を確認するフレームの数をある程度増やすことが好ましい。
【００５３】
このように、本実施形態では、ライン判別回路５０により、映像信号から黒帯の有無が判別されるとともに、黒帯がある場合には、映像信号の前後のフレーム間で、水平走査ラインにおける映像最終ラインと字幕最終ラインとの位置が判別され、マイコン６０により、その判別された映像最終ラインと字幕最終ラインとの位置の判別結果に応じて画面サイズが調整されるので、たとえば映像表示領域の下方にテロップ表示等によって暗い領域が表示され、その暗い領域の位置がたとえば映像最終ライン及び字幕最終ラインであると判別された場合、その字幕最終ラインの位置が誤判定であると認識することができ、字幕が無いにも関わらず、字幕有りと判定してしまうことで、映像の下部を字幕表示領域として表示させてしまうようなオートワイド機能における誤表示をもたらす誤判定を確実に防止することができる。
【００５４】
また、本実施形態では、ライン判別回路５０における判別結果、映像最終ラインと字幕最終ラインとの位置が同じである場合、あるいは字幕最終ラインの位置が映像最終ラインより小さい場合には、マイコン６０からアスペクト変換回路３２へのアスペクト変換データと垂直位置変換回路３３への垂直位置調整データの出力が行われないため、字幕の有無に応じて適切な表示を行わせることができる。
【００５５】
また、本実施形態では、水平ライン輝度判別部５１により、映像信号の水平走査ライン毎に輝度レベルが基準レベルと比較されるとともに、比較時における水平走査ラインの位置がカウントされ、映像最終ライン検出回路５４により、比較された水平走査ライン毎の輝度レベルから映像最終ラインが検出され、字幕最終ライン検出回路５５により、比較された水平走査ライン毎の輝度レベルから字幕最終ラインが検出され、検出された映像最終ラインと字幕最終ラインの各々の一致が数回確認された後、メモリ５６に、カウントされた値でそれぞれが確定映像ラインと確定字幕ラインとして記憶されると、ライン比較回路５７により、その記憶された確定映像ラインの値と、確定字幕ラインの値とが比較され、その比較結果がマイコン６０に出力されるので、前後のフレーム間での映像最終ラインと字幕最終ラインとの位置の比較を確実に行うことができる。
【産業上の利用可能性】
【００５６】
テレビジョン受像機に限らず、コンピュータのディスプレイ等のような映像を表示するものに適用可能である。
【図面の簡単な説明】
【００５７】
【図１】本発明のテレビジョン受像機の一実施形態を示すブロック図である。
【図２】図１の映像処理回路及びライン判別回路の詳細を示すブロック図である。
【図３】図１のテレビジョン受像機における字幕有りの場合の垂直位置調整方法を説明するための図である。
【図４】図１のテレビジョン受像機における字幕無しの場合の垂直位置調整方法を説明するための図である。
【図５】図１のテレビジョン受像機における垂直位置調整方法を説明するためのフローチャートである。
【図６】従来のテレビジョン受像機における垂直位置調整方法を説明するための図である。
【符号の説明】
【００５８】
１０  セレクタ 
１１  チューナ 
１２，１３  外部入力機器 
２０  デコーダ 
３０  映像処理回路 
３１  スケーラ 
３２  アスペクト変換回路 
３３  垂直位置変換回路 
４０  液晶表示器
５０  ライン判別回路 
５１  水平ライン輝度判別部 
５２  比較器 
５３  カウンタ 
５４  映像最終ライン検出回路 
５５  字幕最終ライン検出回路 
５６  メモリ 
５７  ライン比較回路 
６０  マイコン 
７０   ROM
【図１】
2006287774.tif 000003
【図２】
2006287774.tif 000004
【図３】
2006287774.tif 000005
【図４】
2006287774.tif 000006
【図５】
2006287774.tif 000007
【図６】
2006287774.tif 000008